(57)【要約】      （修正有）【課題】この発明は構成が簡単で安価であり、しかも内蔵されたスピーカを利用し易くしたスピーカ内蔵型枕を提供することにある。【解決手段】弾性材料によって形成された枕本体１と、枕本体の幅方向中央部の下面に幅方向に沿って湾曲するとともにこの幅方向と交差する前後方向に沿って形成された湾曲凹部と、枕本体を被覆する外装地２５と、枕本体の幅方向両端部に形成された一対の収容部となる溝部５と、一対の溝部に設けられ枕本体の幅方向中央部の上面に利用者が頭部を載せて枕本体の幅方向中央部が湾曲凹部側に沈むことで幅方向内方を向く一対のスピーカ７とを具備する。【選択図】      図５
2006130293.tif 000002
【特許請求の範囲】
【請求項１】
弾性材料によって形成された枕本体と、
この枕本体の幅方向中央部の下面に幅方向に沿って湾曲するとともにこの幅方向と交差する前後方向に沿って形成された湾曲凹部と、
上記枕本体を収容した外装地と、
上記枕本体の幅方向両端部に形成された一対の収容部と、
一対の収容部に音声を出力する前面を上にして設けられ上記枕本体の幅方向中央部の上面に利用者が頭部を載せてこの枕本体が弾性変形して幅方向中央部が上記湾曲凹部側に沈むことで上記前面が幅方向内方に傾斜する一対のスピーカと
を具備したことを特徴とするスピーカ内蔵型枕。
【請求項２】
上記枕本体の幅方向両端部の下面及び前後方向の端面に開放して形成された挿入凹部と、長手方向中途部の上面と両側面とに開放して形成され上記挿入凹部に挿入固定されることで閉塞される溝部を有する弾性材料からなるブロック部材とを備え、
上記溝部によって上記収容部が形成されていることを特徴とする請求項１記載のスピーカ内蔵型枕。
【請求項３】
弾性材料によって形成された枕本体と、
この枕本体の幅方向中央部の上面に幅方向に沿って湾曲するとともにこの幅方向と交差する前後方向に沿って形成された湾曲凹部と、
上記枕本体を収容した外装地と、
上記枕本体の上記湾曲凹部よりも幅方向外方に形成された一対の収容部と、
一対の収容部にそれぞれ音声を出力する前面を上記枕本体の幅方向内方に向けて設けられたスピーカと
を具備したことを特徴とするスピーカ内蔵型枕。
【請求項４】
上記枕本体の幅方向両端部の側面及び前後方向の端面に開放して形成された挿入凹部と、長手方向中途部の一側面と上下面とに開放して形成され上記挿入凹部に挿入固定されることで閉塞される溝部を有する弾性材料からなるブロック部材とを備え、
上記溝部によって上記収容部が形成されていることを特徴とする請求項１記載のスピーカ内蔵型枕。
【請求項５】
幅方向両端部に側壁部が設けられ一対の側壁部の間に凹部が形成された弾性材料からなる枕本体と、
上記枕本体を収容した外装地と、
上記枕本体の上記一対の側壁部にそれぞれ形成された一対の収容部と、
各収容部にそれぞれ音声を出力する前面を上記枕本体の幅方向内方に向けて設けられたスピーカと
を具備したことを特徴とするスピーカ内蔵型枕。
【請求項６】
折り曲げ可能な材料によって形成され椅子の背部の上端に折り曲げて保持される保持部材と、
この保持部材の上記背部の前面側に位置する一端に連結されるスピーカ内蔵型枕と、
上記保持部材の上記背部の背面側に位置する他端に設けられ上記スピーカ内蔵型枕の重量によって上記保持部材が上記背部からずれ落ちるのを防止するおもりとを具備し、
上記スピーカ内蔵型枕は請求項１又は請求項３又は請求項５のいずれかに記載された構成であることを特徴とするスピーカ内蔵型枕。
【請求項７】
弾性材料によって形成された枕本体と、
この枕本体を被覆する外装地と、
上記枕本体の前後方向一端部の幅方向両端部に形成された一対の収容部と、
各収容部に収容されたスピーカと
を具備したことを特徴とするスピーカ内蔵型枕。
【請求項８】
上記枕本体の前後方向一端部の下面及び幅方向両端面に開放して形成された挿入凹部と、長手方向両端部に上面と両側面とに開放して形成され上記挿入凹部に挿入固定されることで閉塞される一対の溝部を有する弾性材料からなるブロック部材とを備え、
上記溝部によって上記収容部が形成されていることを特徴とする請求項７記載のスピーカ内蔵型枕。
【請求項９】
上記枕本体を形成する弾性材料は低反発ウレタンフォームであることを特徴とする請求項１乃至８のいずれかに記載されたスピーカ内蔵型枕。
【発明の詳細な説明】
【技術分野】
【０００１】
この発明は弾性材料によって形成された枕本体にスピーカを設けるようにしたスピーカ内蔵型枕に関する。
【背景技術】
【０００２】
音楽などを楽しむためにスピーカを枕に内蔵することが考えられている。枕にスピーカが内蔵されていれば、利用者は仰臥して休息したり、就寝する際に、枕を利用することで、スピーカから流れる音楽などを聴きながら休息することができる。
【０００３】
従来、スピーカを内蔵する枕として特許文献１に示す構造が提案されている。この特許文献１に示された枕は枕本体を有する。この枕本体の内部にはウレタン製の型材が設けられている。この型材の内部にはスピーカが埋設されている。さらに、型材には利用者の頭部及び頚部が当たる部分に羽根パットを設けるようにしている。
【特許文献１】実公昭６０−１８０５６９号公報
【発明の開示】
【発明が解決しようとする課題】
【０００４】
しかしながら、上記構成の枕によると、スピーカを内臓可能とするために枕本体内に、この枕本体に比べて硬質な型材を設けるようにしている。枕本体と型材とは全くの別部品である。しかも、枕本体には利用者に型材の硬さが伝わらないようにするために、クッション材などを内蔵させなければならない。  
したがって、このような構成によると、部品点数が多くなるということがあったり、枕本体の製造に手間が掛かり、コスト高を招くということがある。
【０００５】
さらに、型材にはスピーカが上向きに設けられている。そのため、スピーカからの音は上方に指向するため、周囲への配慮から音量を低くしたときに利用者が聴き難いということがある。
【０００６】
この発明は、簡単かつ安価な構成とすることができるとともに、音量を低くしても利用者が聴き易いようにしたスピーカ内蔵型枕を提供することにある。
【課題を解決するための手段】
【０００７】
この発明は、弾性材料によって形成された枕本体と、
この枕本体の幅方向中央部の下面に幅方向に沿って湾曲するとともにこの幅方向と交差する前後方向に沿って形成された湾曲凹部と、
上記枕本体を収容した外装地と、
上記枕本体の幅方向両端部に形成された一対の収容部と、
一対の収容部に音声を出力する前面を上にして設けられ上記枕本体の幅方向中央部の上面に利用者が頭部を載せてこの枕本体が弾性変形して幅方向中央部が上記湾曲凹部側に沈むことで上記前面が幅方向内方に傾斜する一対のスピーカと
を具備したことを特徴とするスピーカ内蔵型枕にある。
【０００８】
上記枕本体の幅方向両端部の下面及び前後方向の端面に開放して形成された挿入凹部と、長手方向中途部の上面と両側面とに開放して形成され上記挿入凹部に挿入固定されることで閉塞される溝部を有する弾性材料からなるブロック部材とを備え、
上記溝部によって上記収容部が形成されていることが好ましい。
【０００９】
この発明は、弾性材料によって形成された枕本体と、
この枕本体の幅方向中央部の上面に幅方向に沿って湾曲するとともにこの幅方向と交差する前後方向に沿って形成された湾曲凹部と、
上記枕本体を収容した外装地と、
上記枕本体の上記湾曲凹部よりも幅方向外方に形成された一対の収容部と、
一対の収容部にそれぞれ音声を出力する前面を上記枕本体の幅方向内方に向けて設けられたスピーカと
を具備したことを特徴とするスピーカ内蔵型枕にある。
【００１０】
上記枕本体の幅方向両端部の側面及び前後方向の端面に開放して形成された挿入凹部と、長手方向中途部の一側面と上下面とに開放して形成され上記挿入凹部に挿入固定されることで閉塞される溝部を有する弾性材料からなるブロック部材とを備え、
上記溝部によって上記収容部が形成されていることが好ましい。
【００１１】
この発明は、幅方向両端部に側壁部が設けられ一対の側壁部の間に凹部が形成された弾性材料からなる枕本体と、
上記枕本体を収容した外装地と、
上記枕本体の上記一対の側壁部にそれぞれ形成された一対の収容部と、
各収容部にそれぞれ音声を出力する前面を上記枕本体の幅方向内方に向けて設けられたスピーカと
を具備したことを特徴とするスピーカ内蔵型枕にある。
【００１２】
この発明は、弾性材料によって形成された枕本体と、
この枕本体を被覆する外装地と、
上記枕本体の前後方向一端部の幅方向両端部に形成された一対の収容部と、
各収容部に収容されたスピーカと
を具備したことを特徴とするスピーカ内蔵型枕にある。
【００１３】
上記枕本体の前後方向一端部の下面及び幅方向両端面に開放して形成された挿入凹部と、長手方向両端部に上面と両側面とに開放して形成され上記挿入凹部に挿入固定されることで閉塞される一対の溝部を有する弾性材料からなるブロック部材とを備え、
上記溝部によって上記収容部が形成されていることが好ましい。
【００１４】
上記枕本体を形成する弾性材料は低反発ウレタンフォームであることが好ましい。
【発明の効果】
【００１５】
この発明によれば、枕本体を弾性材料によって形成し、この枕本体の幅方向両端部にスピーカが設けられる収容部を形成したから、構成の簡略化やコストの低減をはかることができる。しかも、スピーカを枕本体に載せた利用者の頭部の方向に向かせることができるから、音量が低い場合であっても、スピーカからの音が聴き易いということがある。
【発明を実施するための最良の形態】
【００１６】
以下、この発明の実施の形態を図面を参照して説明する。
【００１７】
図１乃至図７はこの発明の第１の実施の形態を示す。図１（ａ），（ｂ）はスピーカ内蔵型枕Ｐ１を示し、この枕Ｐ１は図２（ａ）及び図３（ａ），（ｂ）に示すように枕本体１を備えている。この枕本体１は、たとえば低反発ウレタンフォームなどの弾性材料によって平面形状が矩形状に形成されている。この枕本体１の下面の幅方向中央部には前後方向全長にわたって湾曲凹部２が形成されている。さらに、枕本体１の幅方向両端部には下面に開放した矩形断面の挿入凹部３が前後方向全長にわたって形成されている。
【００１８】
上記挿入凹部３には、枕本体１と同様、低反発ウレタンフォームで作られた第１のブロック部材４が装着される。この第１のブロック部材４は上記挿入凹部３に対応する角柱状をなしていて、長手方向中央部にはこの第１のブロック部材４の上面と両側面とに開放した溝部５が形成されている。そして、上記第１のブロック部材４は上記溝部５にスピーカ７を装着して上記挿入凹部３に挿入され、上記枕本体１に接着剤によって取り付け固定されている。
【００１９】
上記スピーカ７は図４（ａ）、（ｂ）に示すようにケース１０内に保持されている。このケース１０は合成樹脂によって上面が開口した有底円筒状に形成された下容器１１を有する。上記スピーカ７はフランジ１２を上記下容器１１の上端面に形成された段部１３に係合させて容器部１１に内に落とし込まれ、この容器部１１内に設けられた複数の支持部材１４によって保持されている。
【００２０】
上記下容器１１の上端面には円盤状のカバー１５が設けられている。このカバー１５は周辺部を除く部分が開口していて、この開口部にはリング状の複数のリブ１６及びこのリブ１６をカバー１５と一体化する複数のスポーク１７が設けられている。そして、カバー１５は、上記下容器１１に周方向にたとえば１２０度間隔で形成された３つの凹部１８からそれぞれねじ込まれたねじ１９（ともに１つのみ図示）によって上記下容器１１に連結固定されている。
【００２１】
上記下容器１１の内底面には一対のピン２１（１つのみ図示）が突設されている。上記スピーカ７に接続された、先端にジャック２２ａ（図１（ａ），（ｂ）に示す）を有するコード２２は上記一対のピン２１に絡めてから結び目２２ａを作った後、上記下容器１１の底部に形成された導出孔２３から外部に導出されている。
【００２２】
このようにして内部にスピーカ７を保持したケース１０は、ケース１０のカバー１５を上にして上記第１のブロック４の溝部５に設けられる。つまり、スピーカ７の音声を出力する前面を上にして上記第１のブロック４の溝部５に設けられる。なお、この溝部５は、スピーカ７を収容保持する収容部となっている。
【００２３】
上記枕本体１は外装地２５によって被覆されている。この外装地２５は伸縮性を有する布地によって袋状に縫製されていて、枕本体１の下面に対応する面には図１（ｂ）に示すように長手方向〈幅方向〉に沿ってファスナ２６が設けられている。それによって、上記外装地２５は開閉可能になっていて、上記枕本体１を出し入れ可能に収容している。
【００２４】
なお、上記スピーカ７に接続されたコード２２は、上記溝部５から枕本体１の外部に導出され、さらに外装地２５のファスナ２６の部分から外部に導出されている。そして、その先端のジャック２２ａには図示せぬ音響機器などに接続される。
【００２５】
上記外装地２５の上記枕本体１の湾曲凹部２に対応する部分には、枕本体１の幅方向に交差する方向の端面から外方へ突出したフランジ布２７が幅方向に所定の長さで設けられている。このフランジ布２７の下面には第１のベルベットファスナ２８が設けられている。図１（ｂ）に示すように外装地２５の下面には、上記第１のベルベットファスナ２８と対応する位置に第２のベルベットファスナ２９が設けられている。
【００２６】
上記第２のベルベットファスナ２９には、上記第１のベルベットファスナ２８を使用しないときに上記フランジ布２７を折り曲げて第１のベルベットファスナ２８が係着保持される。図２（ａ）及び図５はフランジ布２７を折り曲げた状態を示している。
【００２７】
このように構成された枕Ｐ１は、枕本体１の湾曲凹部２が形成された面、つまり下面を下にして利用する。図５は仰臥した利用者Ｕが頭部を枕Ｐ１の上面に載せた状態を示している。利用者Ｕが枕Ｐ１の上面に頭部を載せると、枕本体１は頭部の重さによって弾性的に変形し、湾曲凹部２が形成された下面が扁平な状態になり、扁平な状態の上面が凹状に湾曲する。
【００２８】
つまり、枕本体１の下面に湾曲凹部２が形成されているために、この枕本体１は利用者Ｕの頭部の重さによって反転し、上面が凹状に湾曲変形する。このように枕本体１が弾性変形すると、この枕本体１の幅方向両端部の上面が幅方向内方に向かって傾斜する。
【００２９】
それによって、枕本体１の幅方向両端部に音声を出力する前面を上向きにして設けられたスピーカ７は、その前面が幅方向内方に傾斜する。つまり、一対のスピーカ７の前面は利用者Ｕの頭部の側方の耳に向かって傾斜する。それによって、利用者Ｕはスピーカ７から出力される音楽などの音声を聴き易くなるから、周囲に不快感を与えることがないよう音量を低くすることが可能となる。
【００３０】
また、枕本体１に挿入凹部３を形成し、この挿入凹部３に溝部５が形成された第１のブロック部材４を設けることで、上記溝部５にスピーカ７を設けるようにした。枕本体１と第１のブロック部材４はともに低反発ウレタンフォームで形成されている。
【００３１】
そのため、枕本体１と第１のブロック部材４は構成が簡単であるばかりか、製造も容易であるから、比較的安価に提供することができる。しかも、低反発ウレタンフォームで作られた枕本体１は、利用者Ｕの頭部の重量によって弾性変形しても、その弾性変形による反発力が生じ難いから、利用者Ｕの頭部を圧迫することなく支持することができる。つまり、枕Ｐ１としての性能に優れている。
【００３２】
上記構成の枕Ｐは、図６に示すように椅子Ｃにも利用することができる。すなわち、椅子Ｃは座部３１と背部３２を有し、上記枕Ｐ１は背部３２に保持部材３３を用いて保持できるようになっている。
【００３３】
上記保持部材３３は、図７に示すように布地によって台形状に形成されていて、その一端には上記外装地２５に設けられた第１のベルベットファスナ２８に係着する第３のベルベット３４が幅方向に沿って設けられ、他端には袋部３５が形成されている。この袋部３５は一側が開口しており、この開口部３５ａから袋部３５内には金属板からなるおもり３６が収容される。
【００３４】
上記保持部材３３は、第１のベルベットファスナ２８が設けられた一端部が背部３２の前面上部に位置し、おもり３６が設けられた他端部が背部３２の背面上部に位置するよう、折り曲げて背部３２の上端に掛けられる。そして、枕Ｐの外装地２５に設けられた第１のベルベットファスナ２８を保持部材３３の第３のベルベットファスナ３４に係着させる。
【００３５】
それによって、枕Ｐ１とおもり３６との重量が釣り合い、保持部材３３により枕Ｐ１を背部３２の前面上部に保持することができるから、椅子Ｃに着座した利用者Ｕは頭部を枕Ｐに当てることで、仰臥して枕Ｐを利用するときと同様、この枕Ｐに設けられたスピーカ７によって音楽などの音声を聴くことができる。
【００３６】
図８乃至図１０はこの発明の第２の実施の形態の枕Ｐ２を示す。この第２の実施の形態の枕Ｐ２は枕本体１Ａの変形例である。この枕本体１Ａは平面形状が矩形状で、上面の幅方向中央部には前後方向全長にわたる湾曲凹部４１が形成されている。
【００３７】
上記枕本体１Ａの幅方向両端部には、この枕本体１Ａの側面及び前後方向の端面に開放した挿入凹部４２が形成されている。この挿入凹部４２にはブロック部材４３が挿入保持される。このブロック部材４３の長手方向中途部には、ブロック部材４３の一側面及び上下面に開放したスピーカ７の収容部となる溝部４４が形成されている。
【００３８】
上記挿入凹部４２の長手方向中途部には第１の実施の形態に示すケース１０に収容された上記スピーカ７が設けられ、この挿入凹部４２に上記ブロック部材４３を装着することで、その溝部４４によって上記スピーカ７が保持される。
【００３９】
上記スピーカ７は音声の出力される前面を上記挿入凹部４２の側面に向けて設けられている。つまり、スピーカ７は前面を枕本体１Ａの幅方向内方に向けている。また、枕本体１Ａとブロック部材４３とは、弾性材料としての低反発ウレタンフォームによって形成されている。そして、枕本体１は第１の実施の形態と同様、伸縮性を有する外装地２５によって被覆されている。
【００４０】
このように構成された枕Ｐ２によれば、仰臥した利用者Ｕは枕本体１Ａの上面に形成された湾曲凹部４１に対応する位置に頭部を載置する。頭部が湾曲凹部４１内に入り込むと、枕本体１Ａの幅方向両端部が頭部の両側に位置することになる。
【００４１】
枕本体１Ａの幅方向両端部にはそれぞれスピーカ７が前面を幅方向内方に向けた状態で、横向きに設けられている。スピーカ７の前面が枕本体１の幅方向内方を向いていることで、スピーカ７からの音声の出力方向に利用者Ｕの頭部両側の耳の部分が位置することになる。そのため、湾曲凹部４１に頭部が支持された利用者Ｕは、上記スピーカ７から出力される音楽などを聴き易いから、たとえば周囲への配慮などによって音量を十分に低くしても、音楽などを楽しむことができる。
【００４２】
しかも、スピーカ７が前面を枕本体１Ａの幅方向内方に向けてこの枕本体１Ａ内に設けられているため、スピーカ７から出力される音声が外部に漏れ難い。そのため、周囲に迷惑をかけることなく、利用者Ｕは音楽などを聴くことができる。  
また、上記構成の枕Ｐ２は、第１の実施の形態の枕Ｐ１と同様、保持部材３３を用いて椅子Ｃの背部３２の上部前面に保持して利用することができる。
【００４３】
図１１と図１２はこの発明の第３の実施の形態の枕Ｐ３を示す。この第３の実施の形態の枕Ｐ３は第２の実施の形態と同様、枕本体１Ｂの変形例である。この枕本体１Ｂは平面形状が矩形状で、前後方向の寸法が第１、第２の実施の形態に示された枕本体１，１Ａよりも長尺に形成されている。
【００４４】
この枕本体１Ｂの上面には、図１１（ｂ）に示すように前後方向の中途部に幅方向全長にわたる湾曲凹部５１が形成され、一端部の幅方向中央部には凸状に湾曲した部分を扁平状に除去して載置部５２が形成されている。
【００４５】
枕本体１Ｂの前後方向一端部の下面には、断面形状が矩形状の挿入凹部５３が幅方向全長にわたって形成されている。この挿入凹部５３には角柱状のブロック部材５４が装着され、接着剤により固定される。このブロック部材５４の長手方向両端部には上面と両側面とに開放した一対の溝部５５が形成されている。
【００４６】
上記溝部５５にはそれぞれ第１の実施の形態に示すケース１０に収納されたスピーカ７が設けられる。したがって、ブロック部材５４を挿入凹部５３に装着して接着剤で固定すれば、上記スピーカ７は枕本体１Ｂに一体的に設けられることになる。そして、枕本体１Ｂは外装地２５によって被覆される。
【００４７】
なお、この実施の形態では、スピーカ７は音声が出力される前面を上に向けて設けられているが、幅方向内方に向けて設けるようにしてもよい。つまり、ブロック部材５４に形成される溝部５５にスピーカ７を横向きにして設けるようにすればよい。
【００４８】
上記構成の枕Ｐ３によれば、利用者Ｕが音楽などを聴きたい場合には、図１２（ａ）に示すように枕本体１Ｂの前後方向一端部の載置部５２に頭部を載置して仰臥する。それによって、頭部の両側にスピーカ７が位置するから、このスピーカ７から出力される音楽などを楽しむことができる。上記スピーカ７を枕本体１Ｂの幅方向内方に傾けて設ければ、スピーカ７から出力される音楽などの音声が聴き易くなるばかりか、外部に漏れて周囲に不快感を与えるということもない。
【００４９】
一方、利用者Ｕが就寝するためだけに枕Ｐ３を利用する場合、図１２（ｂ）に示すように枕本体１Ｂの前後方向の他端部に頭を載せて利用する。利用者Ｕが寝返りを打つなどして頭部が枕本体１Ｂの幅方向に移動しても、頭部が枕本体１Ｂよりも硬質なスピーカ７を収容したケース１０に当たることがないから、利用者Ｕに違和感を与えることがない。
【００５０】
つまり、この第３の実施の形態では、枕本体１Ｂの前後方向の長さを長くし、一端と他端とのどちら側からでも使用できるようにしたから、一端部に設けられたスピーカ７を利用しない場合には他端部に頭部を載せることで、スピーカ７の硬さによって寝心地の低下を招くのを防止できる。
【００５１】
図１３乃至図１５はこの発明の第４の実施の形態を示す。この第４の実施の形態の枕Ｐ４の枕本体１Ｃは第１乃至第３の実施の形態と同様、低反発ウレタンフォームなどの弾性材料によって成形されている。つまり、枕本体１Ｃは、図１４（ａ）、（ｂ）に示すように幅方向両端部に側壁部６１がほぼ垂直に設けられており、これら一対の側壁部６１間に利用者が頭部を載置する凹部６２が形成されている。
【００５２】
一対の側壁部６１にはそれぞれ一端が枕本体１Ｃの下面に開口した収容部６３が形成されている。各収容部６３には第１の実施の形態に示すケース１０に収納されたスピーカ７が音声を出力する前面を枕本体１Ｃの幅方向内方に向けて収容されている。スピーカ７が収容された収容部６３は、弾性材料からなる蓋部材６４によって閉じられる。この蓋部材６４は枕本体１Ｃに接着される。
【００５３】
上記枕本体１Ｃは、袋状に形成され下面がファスナ６５によって開閉される外装地６６に収容される。この外装地６６の下面の前後方向後端には保持部材６７の一端が縫着されている。この保持部材６７の他端にはおもり３６が収容される袋部３５が形成されている。さらに、外装地６６の両側面にはポケット６８が形成されている。一方のポケット６８からは、先端にジャック２２ａが設けられたコード２２が導出されていて、上記ジャック２２ａは図示せぬ音響機器に接続される。上記コード２２は不使用時には上記ポケット６８に収納できる。
【００５４】
上記構成の枕Ｐ４によれば、枕本体１Ｃの幅方向両端に設けられた側壁部６１にスピーカ７が音声を出力する前面を幅方向内方に向けて収容されている。そのため、利用者が凹部６２に頭部を載置すれば、一対のスピーカ７の音声を出力する前面が利用者の耳の方向に接近するから、スピーカ７から出力される音声が聞き易い。つまり、スピーカ７から出力させる音声を大きくして周囲に漏らして迷惑を掛けるということなく、利用者は音楽などを楽しむことができる。
【００５５】
枕本体６１を収容した外装地６６には保持部材６７の一端が縫着されている。そのため、図１５に示すように椅子Ｃの背部３２の上端に、上記保持部材６７の一端に設けられた枕Ｐ４が背部３２の前面側となり、おもり３６が設けられた他端が背面となるよう、背部３２の上端に保持部材６７を掛ける。
【００５６】
それによって、椅子Ｃの背部３２の前面上部に枕Ｐ４を保持することがきるから、この枕Ｐ４の凹部６２に利用者が頭部を載置すれば、音楽などを楽しむことができる。この場合も、スピーカ７から出力される音声が聞き易いから、音声を大きくして周囲に迷惑を掛けるということなく、利用者は音楽などを楽しむことができる。
【００５７】
この第４の実施の形態においては、保持部材の一端を外装地に逢着したが、外装地と保持部材とは第１の実施の形態のようにベルベットファスナによって着脱可能に連結するようにしてもよい。
【図面の簡単な説明】
【００５８】
【図１】この発明の第１の実施の形態を示し、（ａ）は枕の平面図、（ｂ）は下面図。
【図２】（ａ）は外装地の一部を破断した枕の側面図、（ｂ）は同じく側面図。
【図３】（ａ）は枕本体の平面図、（ｂ）は正面図、（ｃ）はブロック部材の平面図、（ｄ）は正面図。
【図４】（ａ）はスピーカを収容したケースの平面図、（ｂ）は縦断面図。
【図５】利用者が頭部を枕に載せた状態の説明図。
【図６】枕が保持された椅子の斜視図。
【図７】枕を椅子に保持するための保持部材の平面図。
【図８】（ａ）はこの発明の第２の実施の形態の枕の正面図、（ｂ）は側面図。
【図９】（ａ）〜（ｃ）は図８に示す枕に用いられる枕本体の三面図。
【図１０】（ａ）〜（ｃ）は図９に示す枕本体の挿入凹部に装着されるブロック部材の三面図。
【図１１】（ａ）はこの発明の第３の実施の形態の枕を示す平面図、（ｂ）は側面図、（ｃ）枕本体の挿入凹部に装着されるブロック部材の斜視図。
【図１２】（ａ）、（ｂ）は図１１に示す枕の使用形態の説明図。
【図１３】この発明の第４の実施の形態を示し、（ａ）は枕の正面図、（ｂ）は側面図、（ｃ）は下面図。
【図１４】（ａ）は枕本体の側面図、（ｂ）は下面図。
【図１５】枕を保持部材によって椅子の背部に保持した状態の斜視図。
【符号の説明】
【００５９】
１，１Ａ，１Ｂ，１Ｃ…枕本体、２…湾曲凹部、３，４２，５３…挿入凹部、５，４４，５５…溝部、７…スピーカ、１０…ケース、２５…外装地。
【図１】
2006130293.tif 000003
【図２】
2006130293.tif 000004
【図３】
2006130293.tif 000005
【図４】
2006130293.tif 000006
【図５】
2006130293.tif 000007
【図６】
2006130293.tif 000008
【図７】
2006130293.tif 000009
【図８】
2006130293.tif 000010
【図９】
2006130293.tif 000011
【図１０】
2006130293.tif 000012
【図１１】
2006130293.tif 000013
【図１２】
2006130293.tif 000014
【図１３】
2006130293.tif 000015
【図１４】
2006130293.tif 000016
【図１５】
2006130293.tif 000017